(57)【要約】【課題】電球ソケットに接続して用いるプロジェクターであって、プロジェクターの冷却効率を向上させる冷却機構を備えるものを提供する。【解決手段】電球ソケットＳに接続可能な接続部１０と、接続部１０からの電力を供給する電源部２０と、光源部５０Ｒ，５０Ｇ，５０Ｂ、光変調部７０Ｒ，７０Ｇ，７０Ｂ及び投写光学系９０を有する光学エンジン部４０と、接続部１０と光学エンジン部４０との間に配置され、電源部２０と光学エンジン部４０とを冷却する冷却部３０と、冷却部３０により流通される空気が通過する連通口１６と、投写光学系９０が光を投写する投写方向側の端部に開口部１２１を有し、光学エンジン部４０の少なくとも一部を覆うカバー１２０と、を備え、冷却部３０は、空気を連通口１６及び開口部１２１の一方から導入し、導入された空気を他方へ導風するプロジェクター１０００。【選択図】図３
2014102313.tif 000002
【特許請求の範囲】
【請求項１】
電球ソケットに接続可能な接続部と、
前記接続部からの電力を供給する電源部と、
光を射出する光源部、前記光源部からの光を画像情報に応じて変調する光変調部、及び前記光変調部により変調された光を投写する投写光学系を有する光学エンジン部と、
前記接続部と前記光学エンジン部との間に配置され、前記電源部と前記光学エンジン部とを冷却する冷却部と、
前記冷却部により流通される空気が通過する連通口と、
前記投写光学系が光を投写する投写方向側の端部に開口部を有し、前記光学エンジン部の少なくとも一部を覆うカバーと、を備え、
前記冷却部は、前記空気を前記連通口及び前記開口部の一方から導入し、導入された空気を他方へ導風することを特徴とするプロジェクター。
【請求項２】
請求項１に記載のプロジェクターにおいて、
前記連通口は、前記冷却部に対して前記光学エンジン部とは反対側に配置されることを特徴とするプロジェクター。
【請求項３】
請求項２に記載のプロジェクターにおいて、
前記冷却部は、前記空気を前記開口部から導入し、前記連通口から前記空気を排出することを特徴とするプロジェクター。
【請求項４】
請求項３に記載のプロジェクターにおいて、
前記接続部及び前記光学エンジン部は、前記冷却部を挟んで対向する位置にそれぞれ配置され、
前記カバーは、前記開口部側から前記冷却部側に向かって断面積が小さくなる形状を有することを特徴とするプロジェクター。
【請求項５】
請求項１〜４のいずれかに記載のプロジェクターにおいて、
前記光学エンジン部は、前記投写光学系が光を投写する側以外の側に、前記光源部からの熱を放熱させる放熱部を有し、
前記カバーは、前記放熱部を覆い、前記投写方向に延出していることを特徴とするプロジェクター。
【請求項６】
請求項１〜４のいずれかに記載のプロジェクターにおいて、
前記光学エンジン部は、前記投写光学系が光を投写する側以外の側に、前記光源部からの熱を放熱させる放熱部を有し、
前記カバーは、前記投写光学系の少なくとも一部及び前記放熱部を覆い、前記投写方向に延出していることを特徴とするプロジェクター。
【請求項７】
請求項１〜６のいずれかに記載のプロジェクターにおいて、
前記カバーは、前記開口部側の端部に、前記カバーを前記投写方向に延出させる拡張部材を固定する固定部を有することを特徴とするプロジェクター。
【請求項８】
請求項１〜７のいずれかに記載のプロジェクターにおいて、
前記カバーは、前記開口部の少なくとも前記投写光学系からの光を遮らない領域に、防塵フィルターを有することを特徴とするプロジェクター。
【請求項９】
電球ソケットに接続可能な接続部と、
前記接続部からの電力を供給する電源部と、
光を射出する光源部、前記光源部からの光を画像情報に応じて変調する光変調部、及び前記光変調部により変調された光を投写する投写光学系を有する光学エンジン部と、
前記接続部と前記光学エンジン部との間に配置され、空気を流通させて前記電源部と前記光学エンジン部とを冷却する冷却部と、
前記光学エンジン部の少なくとも一部を覆うカバーと、
前記カバーの少なくとも一部を覆うように配置されるプロジェクターカバーと、を備え、
前記カバーは、前記投写光学系が光を投写する投写方向側の端部が前記プロジェクターカバーの前記投写方向側の端部より、前記投写方向側に位置するように配置されることを特徴とするプロジェクター。
【発明の詳細な説明】
【技術分野】
【０００１】
本発明は、プロジェクターに関する。
【背景技術】
【０００２】
従来、内部機構を冷却する冷却部を備えるプロジェクターが広く知られている（例えば、特許文献１参照。）。従来のプロジェクターによれば、冷却部によりプロジェクターの内部機構（例えば、電源部、光源部、光変調部）を冷却することが可能となる。
【先行技術文献】
【特許文献】
【０００３】
【特許文献１】特開２００５−３１１０６号公報
【発明の概要】
【発明が解決しようとする課題】
【０００４】
しかしながら、広く知られている従来のプロジェクターは、電池やコンセント等からの電力を利用する一般的な型のものであり、当然、冷却部の構成及び配置もそれに応じたものが知られている。このため、電球ソケットから供給される電力を利用するプロジェクター、つまり、電球ソケットに接続して用いるプロジェクターについては、冷却部を備えることや、冷却部の構成や配置は知られていない。また、電球ソケットに接続して用いるプロジェクターに関しては、その性質上小型化が強く求められるため、従来知られている冷却部の構成及び配置をそのまま利用することは困難である。
【０００５】
さらに、ランプカバーや凹形状の窪み（以下、ランプカバー等という。）など、シェードに相当する部材が電球ソケットの周囲にある場合、暖まった空気がランプカバー等の中に滞留してしまう。そして、冷却部が暖まった空気を冷却対象に送風してしまうと、プロジェクターの冷却効率が非常に低下するため好ましくない（後述する比較例参照。）。ランプカバー等が電球ソケットの周囲に固定されていることは非常に慣習的であるため、電球ソケットに接続して用いるプロジェクターに対して、冷却効率が良い冷却機構を有することが求められている。
【０００６】
そこで、本発明は、上記事情に鑑みてなされたもので、電球ソケットに接続して用いるプロジェクターであって、プロジェクターの冷却効率を向上させる冷却機構を備えるプロジェクターを提供することを目的の一つとする。
【課題を解決するための手段】
【０００７】
本発明のプロジェクターは、電球ソケットに接続可能な接続部と、前記接続部からの電力を供給する電源部と、光を射出する光源部、前記光源部からの光を画像情報に応じて変調する光変調部、及び前記光変調部により変調された光を投写する投写光学系を有する光学エンジン部と、前記接続部と前記光学エンジン部との間に配置され、前記電源部と前記光学エンジン部とを冷却する冷却部と、前記冷却部により流通される空気が通過する連通口と、前記投写光学系が光を投写する投写方向側の端部に開口部を有し、前記光学エンジン部の少なくとも一部を覆うカバーと、を備え、前記冷却部は、前記空気を前記連通口及び前記開口部の一方から導入し、導入された空気を他方へ導風することを特徴とする。
【０００８】
本発明のプロジェクターによれば、冷却部及びカバーという冷却機構を備えるため、冷却に用いられる空気と、冷却に用いられて暖まった空気とを分離し、プロジェクターの冷却効率を向上させることが可能となる（後述する実施形態１参照。）。
【０００９】
また、本発明のプロジェクターによれば、上記カバーを備えるため、光学エンジン部とカバーとの間に冷却流路を形成し、プロジェクターの冷却効率を一層向上させることが可能となる。
【００１０】
また、本発明のプロジェクターによれば、接続部と光学エンジン部との間に配置され、電源部と光学エンジン部とを冷却する冷却部を備えるため、コンパクトな冷却経路を構成することができ、プロジェクターの小型化に貢献することが可能となる。
【００１１】
また、本発明のプロジェクターによれば、上記した冷却部を備えるため、１つの冷却部で主要な構成要素を冷却することが可能となり、プロジェクターのコストを低減させることが可能となる。
【００１２】
また、本発明のプロジェクターによれば、従来のプロジェクターと同様に、冷却部を備えるため、冷却部によりプロジェクターの内部機構を冷却することが可能となる。
【００１３】
また、本発明のプロジェクターによれば、電球ソケットに接続可能な接続部を備えるため、電球ソケットが設置されている場所ならば、手軽に取り付けること及び使用することが可能となる。
【００１４】
なお、電源部については、電源部の全部が接続部内に配置されるようにしてもよいし、電源部の一部が光学エンジン部の近くに配置されるようにしてもよい。
【００１５】
本明細書において「電球ソケット」とは、電球を取り付けるためのソケット全般のことをいう。このような電球ソケットとしては、内部側面にねじ山を有し、内部側面と内部底面とが電極になっているもの（いわゆるねじ込み式電球ソケット）が広く用いられているが、本発明のプロジェクターは、対応する接続部を用いることで、ねじ込み式電球ソケットのみならず他の種類の電球ソケット（例えば、引っ掛け式電球ソケット）にも広く適用することが可能である。
【００１６】
本発明のプロジェクターにおいては、前記連通口は、前記冷却部に対して前記光学エンジンとは反対側に配置されることが好ましい。
【００１７】
このような構成とすることにより、連通口の位置が上記位置にあるため、冷却に用いられる空気と、冷却に用いられて暖まった空気とを、一層確実に分離することが可能となる。
【００１８】
本発明のプロジェクターにおいては、前記冷却部は、前記空気を前記開口部から導入し、前記連通口から前記空気を排出することが好ましい。
【００１９】
このような構成とすることにより、プロジェクターが画像を投写する側から電球ソケットの側に向かう空気の流れを作ることができるため、温まった空気により投写画像が揺らいでしまうのを抑制し、良好な画質を確保することが可能となる。
【００２０】
また、上記のような構成とすることにより、光学エンジン部側から接続部側に向かう空気の流れを作り出すことになるため、発熱量や耐熱温度の観点から冷却の必要性が高い光源部及び光変調部を先に冷却し、プロジェクターの動作安定性を確保することが可能となる。
【００２１】
本発明のプロジェクターにおいては、前記接続部及び前記光学エンジン部は、前記冷却部を挟んで対向する位置にそれぞれ配置され、前記カバーは、前記開口部側から前記冷却部側に向かって断面積が小さくなる形状を有することが好ましい。
【００２２】
このような構成とすることにより、冷却部付近における空気の流れの速さを速くすることが可能となり、その結果、冷却効率をより一層向上させることが可能となる。
【００２３】
また、上記のような構成とすることにより、カバーの内部が投写方向側で広がっているということができるため、カバーの先端部に比較的大きな防塵フィルターを配置することが可能となり、その結果、防塵フィルターの耐用期間を長くすることが可能となる。
【００２４】
また、上記のような構成とすることにより、接続部と光学エンジン部とが冷却部を挟んで対向する位置に配置されているため、単純な構成の冷却部（例えば、軸流式のファンを有するもの）を用いて主要な構成要素を冷却することが可能となる。
【００２５】
「開口部側から冷却部側に向かって断面積が小さくなる形状」とは、ある軸に垂直な平面で見たとき、一定の方向に行くほど内部空間の断面積が減少していく（例えば、内部空間の断面形状が円だった場合には、当該円の直径が減少していく）形状のことをいう。ある軸は、例えば、接続部の中心軸や投写画像の中心軸（なお、両中心軸が一致する場合もある。）であり、一定の方向は、例えば、光学エンジン部側から冷却部側に向かう方向である。なお、断面積が小さくなる割合は一定あってもよいし、一定でなくてもよい。
【００２６】
本発明のプロジェクターにおいては、前記光学エンジン部は、前記投写光学系が光を投写する側以外の側に、前記光源部からの熱を放熱させる放熱部を有し、前記カバーは、前記放熱部を覆い、前記投写方向に延出していることが好ましい。
【００２７】
このような構成とすることにより、光源部の冷却効率を向上させることが可能となる。
【００２８】
また、上記のような構成とすることにより、光源部から他の構成要素（例えば、光変調部）に伝導される熱を大きく低減することが可能となる。
【００２９】
上記の構成においては、光学エンジン部は、複数の光源部と、複数の光源部に対応する複数の放熱部と、を有することが好ましい。
【００３０】
このような構成とすることにより、光源部ごとに異なる色光を射出すれば、白色光を射出する１つの光源部からの光を複数の色光に分離させることなく、多色カラーの投写画像を投写することが可能となる。また、複数の色光に分離させる構成が必要無いので、プロジェクターの小型化に寄与することが可能となる。
【００３１】
さらに、上記の構成においては、複数の放熱部がそれぞれ他の放熱部と熱伝導しないように配置されることが好ましい。このような構成とすることにより、放熱部から放熱部への熱の伝導を抑制し、例えば、発熱量が大きい又は耐熱温度が低い光源部には大きな放熱部を対応させ、発熱量が小さい又は耐熱温度が低い光源部には小さな放熱部を対応させるといったように、それぞれの光源部に適した冷却を行うことが可能となる。
【００３２】
なお、冷却に用いられる空気と冷却に用いられて暖まった空気とを分離し、冷却効率を向上させるという観点から、本発明のプロジェクターにおいては、カバーは、冷却部から光学エンジン部の先端までを覆うことが一層好ましい。
また、暖まった空気はランプカバー等の中に滞留するため、本発明のプロジェクターにおいては、「カバーは、投写画像を投写する投写方向側の端部がランプカバー等の投写方向側の端部より、投写方向側に位置するように配置されること」がより一層好ましい。
【００３３】
本発明のプロジェクターにおいては、前記光学エンジン部は、前記投写光学系が光を投写する側以外の側に、前記光源部からの熱を放熱させる放熱部を有し、前記カバーは、前記投写光学系の少なくとも一部及び前記放熱部を覆い、前記投写方向に延出していることが好ましい。
【００３４】
このような構成とすることにより、カバーが投写光学系の少なくとも一部及び前記放熱部を覆い、投写方向に延出しているため、冷却に用いられる空気と、冷却に用いられて暖まった空気とを、より一層確実に分離することが可能となる。
【００３５】
本発明のプロジェクターにおいては、前記カバーは、前記開口部側の端部に、前記カバーを前記投写方向に延出させる拡張部材を固定する固定部を有することが好ましい。
【００３６】
このような構成とすることにより、使用環境や、例えばインテリアとして等ユーザーの嗜好に合わせてカバーの長さを任意に調節する（例えば、ランプカバー等が大きく、プロジェクターのカバーの長さが足りない時に、拡張部材を固定して冷却効率を向上させる）ことが可能となる。
【００３７】
拡張部材は、投写画像の投写を妨害しない程度の大きさを有する開口部を有することが好ましい。
【００３８】
カバーに拡張部材を固定する固定部の方式としては、各種の方式を用いることができる。例としては、対応する凹凸を用いてはめ込む方式や、ねじ山を用いてねじ込む方式を挙げることができる。
【００３９】
本発明のプロジェクターにおいては、前記カバーは、前記開口部の少なくとも前記投写光学系からの光を遮らない領域に、防塵フィルターを有することが好ましい。
【００４０】
このような構成とすることにより、プロジェクター内に埃等が進入するのを抑制し、プロジェクターを長く稼動させることが可能となる。
【００４１】
本発明のプロジェクターは、電球ソケットに接続可能な接続部と、前記接続部からの電力を供給する電源部と、光を射出する光源部、前記光源部からの光を画像情報に応じて変調する光変調部、及び前記光変調部により変調された光を投写する投写光学系を有する光学エンジン部と、前記接続部と前記光学エンジン部との間に配置され、空気を流通させて前記電源部と前記光学エンジン部とを冷却する冷却部と、前記光学エンジン部の少なくとも一部を覆うカバーと、前記カバーの少なくとも一部を覆うように配置されるプロジェクターカバーと、を備え、前記カバーは、前記投写方向側の端部が前記プロジェクターカバーの前記投写方向側の端部より、前記投写方向側に位置するように配置されることを特徴とする。
【００４２】
本発明のプロジェクターによれば、冷却部及びカバーという冷却機構を備えるため、冷却に用いられる空気と、冷却に用いられて暖まった空気とを分離し、プロジェクターの冷却効率を向上させることが可能となる（後述する実施形態３参照。）。
【００４３】
また、本発明のプロジェクターによれば、上記カバーを備えるため、光学エンジン部とカバーとの間に冷却流路を形成し、プロジェクターの冷却効率を一層向上させることが可能となる。
【００４４】
また、本発明のプロジェクターによれば、カバーは、投写方向側の端部がプロジェクターカバーの投写方向側の端部より、投写方向側に位置するように配置されるため、プロジェクターカバーの中に滞留する暖まった空気を冷却部が拾ってしまうのを抑制し、プロジェクターの冷却効率をより一層向上させることが可能となる。
【００４５】
また、本発明のプロジェクターによれば、プロジェクターカバーを備えるため、ランプカバー等が電球ソケットの周りに固定されていたとしてもその影響を低減し、プロジェクターの冷却を安定して行うことが可能となる。
【００４６】
また、本発明のプロジェクターによれば、接続部と光学エンジン部との間に配置され、電源部と光学エンジン部とを冷却する冷却部を備えるため、コンパクトな冷却経路を構成することができ、プロジェクターの小型化に貢献することが可能となる。
【００４７】
また、本発明のプロジェクターによれば、上記した冷却部を備えるため、１つの冷却部で主要な構成要素を冷却することが可能となり、プロジェクターのコストを低減させることが可能となる。
【００４８】
また、本発明のプロジェクターによれば、従来のプロジェクターと同様に、冷却部を備えるため、冷却部によりプロジェクターの内部機構を冷却することが可能となる。
【００４９】
また、本発明のプロジェクターによれば、電球ソケットに接続可能な接続部を備えるため、電球ソケットが設置されている場所ならば、手軽に取り付けること及び使用することが可能となる。
【００５０】
なお、電源部については、電源部の全部が接続部内に配置されるようにしてもよいし、電源部の一部が光学エンジン部の近くに配置されるようにしてもよい。
【図面の簡単な説明】
【００５１】
【図１】実施形態１に係るプロジェクター１０００を説明するために示す図。
【図２】実施形態１に係るプロジェクター１０００の使用方法を説明するために示す図。
【図３】実施形態１に係るプロジェクター１０００の冷却部３０による空気の流れを説明するために示す図。
【図４】実施形態１における放熱部１００Ｒ，１００Ｇ，１００Ｂの斜視図。
【図５】実施形態１におけるカバー１２０を説明するために示す図。
【図６】比較例に係るプロジェクター１００２の冷却部３０による空気の流れを説明するために示す図。
【図７】実施形態２に係るプロジェクター１００４を説明するために示す図。
【図８】実施形態３に係るプロジェクター１００６を説明するために示す図。
【図９】実施形態３に係るプロジェクター１００６の冷却部３０による空気の流れを説明するために示す図。
【発明を実施するための形態】
【００５２】
以下、本発明のプロジェクターの実施形態について説明する。
【００５３】
［実施形態１］
図１は、実施形態１に係るプロジェクター１０００を説明するために示す図である。図１（ａ）はプロジェクター１０００の正面図であり、図１（ｂ）はカバー１２０を取り除いた状態のプロジェクター１０００の正面図であり、図１（ｃ）は図１（ａ）のＡ−Ａ断面図である。なお、図１を含む各図においては、プロジェクター１０００の構成要素のうち、本発明に関連しない構成要素の図示は省略している。
【００５４】
図２は、実施形態１に係るプロジェクター１０００の使用方法を説明するために示す図である。図２（ａ）はプロジェクター１０００を電球ソケットＳに取り付ける前の様子を示す図であり、図２（ｂ）はプロジェクター１０００を電球ソケットＳに取り付けた後の様子を示す図である。なお、図２においては、電球ソケットＳ及びランプカバーＬＣについては断面図で表示している。
【００５５】
図３は、実施形態１に係るプロジェクター１０００の冷却部３０による空気の流れを説明するために示す図である。図３において符号Ｆで示す曲線矢印は、概略的な空気の流れを表すものである。これは、後述する図６及び図９においても同様である。
図４は、実施形態１における放熱部１００Ｒ，１００Ｇ，１００Ｂの斜視図である。図４（ａ）は放熱部１００Ｇの斜視図であり、図４（ｂ）は放熱部１００Ｒの斜視図であり、図４（ｃ）は放熱部１００Ｂの斜視図である。
【００５６】
プロジェクター１０００は、図１に示すように、接続部１０と、電源部２０と、冷却部３０と、光学エンジン部４０と、カバー１２０とを備える。
プロジェクター１０００は、図２に示すように、例えば、周囲にランプカバーＬＣが固定されている電球ソケットＳに接続して使用される。
【００５７】
接続部１０は、外部から電流を供給する電球ソケットに接続可能に構成されている。さらにいえば、接続部１０は、先端部に位置する第１接点部１２と、らせん状のねじ山（右ねじ）が形成されている第２接点部１４とを有し、本実施形態においては、Ｅ２６で規定されるねじ込み式の電球ソケットＳに対応する。なお、プロジェクター１０００は、電球ソケットに接続可能な接続部１０を有することで、種々の電球ソケット、例えば、Ｅ２６以外のねじ込み式の電球ソケットや引っ掛け式の電球ソケットに対応することができる。
また、プロジェクター１０００は、冷却部３０により流通される空気が通過するスリット状の連通口１６を有し、連通口１６は、空気の取入口及び排出口として機能する。本実施形態において、連通口１６は、冷却部３０に対して光学エンジン部４０とは反対側に配置されているが、これに限られない。
中心軸Ａｘは、接続部１０の中心となる軸である。本実施形態の場合、中心軸Ａｘは、接続部１０を電球ソケットに対し回転させねじ込むときの回転軸と一致する。また、中心軸Ａｘは、投写画像の中心軸とも一致する。
【００５８】
電源部２０は、接続部１０内に配置され、電球ソケットから接続部１０を介して送られてきた電流を、プロジェクター１０００の駆動用電流（電力）として他の構成要素、例えば、後述する各光源部５０Ｒ、５０Ｇ、５０Ｂや冷却部３０などに供給する。こうした電源部２０の全体としての構成は広く知られているため、ここでの詳細な説明は省略する。実施形態１に係るプロジェクター１０００においては、図１（ｃ）に示すように、電源部２０の一部が接続部１０内に配置されており、電源部２０の他の部分は、後述する基板１１０付近に配置されている（図示せず。）。電源部２０の一部は、例えば、１次フィルターを有する。
【００５９】
冷却部３０は、接続部１０と光学エンジン部４０との間に配置され、空気を流通させて接続部１０内に配置された電源部２０と光学エンジン部４０とを冷却する。冷却部３０に対して、接続部１０及び光学エンジン部４０は、冷却部３０を挟んで対向する位置にそれぞれ配置されている。冷却部３０は、例えば、軸流式のファンを有する。
冷却部３０は、図３に示すように、空気を後述する開口部１２１から導入し、導入された空気を連通口１６へ導風して連通口１６から空気を排出することにより、光学エンジン部４０側から接続部１０側、すなわち電源部２０側に向かう空気の流れを作り出す。このため、後述するカバー１２０のプロジェクター１０００が投写画像を投写する側（開口部１２１）から導入される空気が、光学エンジン部４０を冷却した後冷却部３０を通過し、さらに電源部２０を冷却して連通口１６から外部に排出されることとなる。
【００６０】
実施形態１においては、冷却部３０が作り出す空気の流れは、光学エンジン部４０とカバー１２０との間隙を流路として流れる。当該流路は投写画像の中心軸からは離れているため、光学エンジン部４０中の光路に埃が入り込んでしまうのを抑制することができる。また、冷却に用いられる空気と、冷却に用いられて暖まった空気とを分離することができる。カバー１２０については、後で詳細を説明する。
【００６１】
光学エンジン部４０は、図１に示すように、光源部５０Ｒ，５０Ｇ，５０Ｂと、光平行化光学系６０Ｒ，６０Ｇ，６０Ｂと、光変調部７０Ｒ，７０Ｇ，７０Ｂと、クロスダイクロイックプリズム８０と、投写光学系９０と、放熱部１００Ｒ，１００Ｇ，１００Ｂと、基板１１０とを有する。
【００６２】
光学エンジン部４０は、複数の光源部（光源部５０Ｒ，５０Ｇ，５０Ｂ）を有する。光源部５０Ｒ，５０Ｇ，５０Ｂは、光を射出する。さらにいえば、光源部５０Ｒは発光部５２Ｒ（符号を図示せず。）から赤色光を射出し、光源部５０Ｇは発光部５２Ｇ（符号を図示せず。）から緑色光を射出し、光源部５０Ｂは発光部５２Ｂ（符号を図示せず。）から青色光を射出する。３つの光源部５０Ｒ，５０Ｇ，５０Ｂのうち１つの光源部５０Ｇは、光合成部であるクロスダイクロイックプリズム８０に対し投写光学系９０が光を投写する投写方向とは反対方向に配置されている。また、残りの２つの光源部５０Ｒ，５０Ｂは、光合成部に対し投写方向に略直交する方向に配置されている。
光源部５０Ｒ，５０Ｇ，５０Ｂが有する発光部５２Ｒ，５２Ｇ，５２Ｂは、例えば、発光ダイオード（ＬＥＤ）、半導体レーザー（ＬＤ）及び有機ＥＬ（ＯＬＥＤ）を例示することができる。なお、プロジェクターの大きさ等の事情が許す場合には、メタルハライドランプ、高圧水銀ランプ、超高圧水銀ランプ等の他の光源を用いてもよい。なお、特許請求の範囲における光源部は、発光部５２Ｒ、５２Ｇ、５２Ｂの少なくともいずれか一つ、又は、発光部５２Ｒ、５２Ｇ、５２Ｂをそれぞれ含む光源部５０Ｒ、５０Ｇ、５０Ｂの少なくともいずれか一つに相当する。
【００６３】
光平行化光学系６０Ｒ，６０Ｇ，６０Ｂは、それぞれ対応する光源部５０Ｒ，５０Ｇ，５０Ｂからの光を略平行光とする。このような光学系は広く知られているため、ここでの詳細な説明は省略する。なお、必要であれば光源部５０Ｒ，５０Ｇ，５０Ｂからの光を均一化する光均一化光学系（インテグレーター光学系）をさらに用いることもできる。また、光源部５０Ｒ，５０Ｇ，５０Ｂが射出する光が平行光である場合には、光平行化光学系を用いなくてもよい。
【００６４】
光変調部７０Ｒ，７０Ｇ，７０Ｂは、それぞれ対応する光源部５０Ｒ，５０Ｇ，５０Ｂからの光を画像情報に応じて変調する。光変調部７０Ｒ，７０Ｇ，７０Ｂは、一対の透明なガラス基板に電気光学物質である液晶を密閉封入した液晶型の光変調装置であり、光源部５０Ｒ，５０Ｇ，５０Ｂからの光を画像情報に応じて変調する透過型の光変調装置である。光変調部７０Ｒ，７０Ｇ，７０Ｂは、例えば、ポリシリコンＴＦＴをスイッチング素子として、与えられた画像情報に応じて光の偏光の方向を変調する。なお、図示を省略したが、光変調部７０Ｒ，７０Ｇ，７０Ｂの光源部５０Ｒ，５０Ｇ，５０Ｂからの光の進行方向に対する前後には、それぞれ、入射側偏光板及び射出側偏光板が介在配置される。これら入射側偏光板、各光変調部及び射出側偏光板によって、入射した各色光の光変調が行われる。
【００６５】
クロスダイクロイックプリズム８０は、３つの光源部５０Ｒ，５０Ｇ，５０Ｂからの光を合成して射出する光合成部であり、さらにいえば、色光毎に変調された光学像を合成してカラー画像を形成する光学素子である。このクロスダイクロイックプリズム８０は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００６６】
投写光学系９０は、投写レンズや焦点調整機構を有し、投写画像として投写する。なお、投写光学系９０が光を投写する方向を投写方向とする。
投写光学系９０の好ましい構成については広く知られているため、図示及び詳細な説明は省略する。
【００６７】
光学エンジン部４０は、複数の光源部（３つの光源部５０Ｒ，５０Ｇ，５０Ｂ）に対応する複数の放熱部（３つの放熱部１００Ｒ，１００Ｇ，１００Ｂ）を有する。放熱部１００Ｒ，１００Ｇ，１００Ｂは、光源部５０Ｒ，５０Ｇ，５０Ｂがそれぞれ光を射出する側以外の側に配置され、光源部５０Ｒ，５０Ｇ，５０Ｂにおける発光部５２Ｒ，５２Ｇ，５２Ｂからの熱を放熱させる。放熱部１００Ｒ，１００Ｇ，１００Ｂは、いわゆるヒートシンクとして機能し、例えば、アルミニウムのように熱伝導性のよい物質からなる。
【００６８】
放熱部１００Ｒ，１００Ｇ，１００Ｂは、図１（ｂ）及び図４に示すように、それぞれが対応する光源部５０Ｒ，５０Ｇ，５０Ｂの熱的特性及び配置位置に応じて異なる大きさ及び形状を有する。放熱部１００Ｒ，１００Ｇ，１００Ｂは、それぞれ他の放熱部と熱伝導しないように配置されている。上記のような配置としては、例えば、放熱部１００Ｒ，１００Ｇ，１００Ｂは、互いに接触しないような配置や、互いの間に非伝熱部材を介入させる配置など、互いに非熱伝導となる種々の配置を採用可能である。
【００６９】
放熱部１００Ｒ，１００Ｇ，１００Ｂは、基部１０２Ｒ，１０２Ｇ，１０２Ｂ及び空気と接する面積を増やすために、外側に突出するフィン１０４Ｒ，１０４Ｇ，１０４Ｂを有する。フィン１０４Ｒ，１０４Ｇ，１０４Ｂは、カバー１２０の内面に対向するように配置されている。つまり、光学エンジン部４０とカバー１２０とにより形成される流路の中に、フィン１０４Ｒ，１０４Ｇ，１０４Ｂが配置される構成となっている。
以下、各放熱部１００Ｒ，１００Ｇ，１００Ｂについて説明する。
【００７０】
光源部５０Ｇに対応する放熱部１００Ｇは、図１（ｂ）及び図１（ｃ）に示すように、接続部１０に近い位置、より具体的には、クロスダイクロイックプリズム８０に対して投写光学系９０が配置される側と反対側に配置される光源部５０Ｇと、冷却部３０との間に配置されている。放熱部１００Ｇは、図４（ａ）に示すように、基部１０２Ｇからフィン１０４Ｇが放射状に伸びる形状を有する。
【００７１】
光源部５０Ｒ，５０Ｂに対応する放熱部１００Ｒ，１００Ｂは、図１（ｂ）及び図１（ｃ）に示すように、側面側の位置、より具体的には、クロスダイクロイックプリズム８０に対して投写光学系９０が光を投写する方向に対して略直交する側に配置される光源部５０Ｒ，５０Ｂの、それぞれ光源部５０Ｒ，５０Ｂに対し投写方向に略直交する方向（外側）に配置されている。放熱部１００Ｒ，１００Ｂは、図４（ｂ）及び図４（ｃ）に示すように、円錐の部分外面状の基部１０２Ｒ，１０２Ｂの外側に、フィン１０４Ｒ，１０４Ｂが形成されている形状を有する。
放熱部１００Ｒは、放熱部１００Ｂよりも大きい。これは、光源部５０Ｒの熱的特性上、光源部５０Ｂよりもより冷却が必要なためである。なお、放熱部の大きさ及び形状は、用いる光源部の熱的特性及び配置位置に応じて様々に設定することができる。
【００７２】
基板１１０は、プロジェクター１０００を駆動するための電子部品を搭載する。
【００７３】
カバー１２０は、図１〜図３及び図５に示すように、少なくとも冷却部３０の投写方向側の端部から、光学エンジン部４０を覆うカバーであり、さらに、カバー１２０は、少なくとも冷却部３０の投写方向側の端部から放熱部１００Ｒ，１００Ｇ，１００Ｂを覆い、投写方向側に延出しているカバーである。本実施形態においては、カバー１２０は、光学エンジン部４０の全体を覆う構成としたが、本発明はこれに限られず、カバー１２０は、光学エンジン部４０の一部を覆う構成にしてもよい。
【００７４】
また、カバー１２０は、投写光学系が光を投写する投写方向側の端部に開口部１２１を有する。冷却部３０は、当該開口部１２１から空気を導入し、光源部５０Ｒ，５０Ｇ，５０Ｂ、及び光変調部７０Ｒ，７０Ｇ，７０Ｂを含む光学エンジン部４０を冷却し、さらに、光学エンジン部４０を冷却した空気を接続部１０側に導風して電源部２０を冷却し、空気を連通口１６から排出させる。
【００７５】
また、図示は省略するが、カバー１２０は、埃等の異物が開口部１２１から光学エンジン部４０側に侵入することを防ぐ防塵フィルターを有する。防塵フィルターは、少なくとも開口部１２１の投写光学系９０から投写される光を遮らない領域に配置されている。
【００７６】
カバー１２０は、投写画像を投写する投写方向側の端部がランプカバーＬＣの投写方向側の端部より、投写方向側に位置するように配置される。つまり、図２（ｂ）に示すように、接続部１０の中心となる軸を中心軸Ａｘとし、中心軸Ａｘと垂直であり、且つカバー１２０の投写方向側の端部と接する仮想線を第１仮想線Ｌ１とし、中心軸Ａｘと垂直であり、且つランプカバーＬＣの投写方向側の端部と接する仮想線を第２仮想線Ｌ２とするとき、第１仮想線Ｌ１と中心軸Ａｘとの接点は、第２仮想線Ｌ２と中心軸Ａｘとの接点よりも投写方向側に位置する。
【００７７】
カバー１２０は、図１（ｃ）及び図３に示すように、開口部１２１側（投写方向側の端部側）から、冷却部３０側に向かって断面積が小さくなる略楔形状を有する。
カバー１２０は、樹脂からなる。
【００７８】
次に、本実施形態に係るプロジェクター１０００の効果を説明する。
【００７９】
本実施形態に係るプロジェクター１０００によれば、冷却部３０及びカバー１２０という冷却機構を備えるため、冷却に用いられる空気と、冷却に用いられて暖まった空気とを分離し、プロジェクターの冷却効率を向上させることが可能となる。
【００８０】
また、本実施形態に係るプロジェクター１０００によれば、カバー１２０を備えるため、光学エンジン部とカバーとの間に冷却流路を形成し、プロジェクターの冷却効率を一層向上させることが可能となる。
【００８１】
また、本実施形態に係るプロジェクター１０００によれば、接続部１０と光学エンジン部４０との間に配置され、電源部２０と光学エンジン部４０とを冷却する冷却部３０を備えるため、コンパクトな冷却経路を構成することができ、プロジェクターの小型化に貢献することが可能となる。
【００８２】
また、本実施形態に係るプロジェクター１０００によれば、冷却部３０を備えるため、１つの冷却部で主要な構成要素を冷却することが可能となり、プロジェクターのコストを低減させることが可能となる。
【００８３】
また、本実施形態に係るプロジェクター１０００によれば、従来のプロジェクターと同様に、冷却部３０を備えるため、冷却部によりプロジェクターの内部機構を冷却することが可能となる。
【００８４】
また、本実施形態に係るプロジェクター１０００によれば、電球ソケットＳに接続可能な接続部１０を備えるため、電球ソケットが設置されている場所ならば、手軽に取り付けること及び使用することが可能となる。
【００８５】
また、本実施形態に係るプロジェクター１０００によれば、連通口１６は、冷却部３０に対して光学エンジン部４０とは反対側に配置されるため、連通口の位置が上記位置にあることにより、冷却に用いられる空気と、冷却に用いられて暖まった空気とを、一層確実に分離することが可能となる。
【００８６】
また、本実施形態に係るプロジェクター１０００によれば、冷却部３０は、空気を開口部１２１から導入し、連通口１６から空気を排出するため、プロジェクターが画像を投写する側から電球ソケットの側に向かう空気の流れを作ることができ、温まった空気により投写画像が揺らいでしまうのを抑制し、良好な画質を確保することが可能となる。
【００８７】
また、本実施形態に係るプロジェクター１０００によれば、光学エンジン部４０側から接続部１０側に向かう空気の流れを作り出すことになるため、発熱量や耐熱温度の観点から冷却の必要性が高い光源部及び光変調部を先に冷却し、プロジェクターの動作安定性を確保することが可能となる。
【００８８】
また、本実施形態に係るプロジェクター１０００によれば、カバー１２０は、開口部１２１側から冷却部３０側に向かって断面積が小さくなる形状を有するため、冷却部付近における空気の流れの速さを速くすることが可能となり、その結果、冷却効率をより一層向上させることが可能となる。
【００８９】
また、本実施形態に係るプロジェクター１０００によれば、カバー１２０の内部が投写方向側で広がっているということができるため、カバーの先端部に比較的大きな防塵フィルターを配置することが可能となり、その結果、防塵フィルターの耐用期間を長くすることが可能となる。
【００９０】
また、本実施形態に係るプロジェクター１０００によれば、接続部１０と光学エンジン部４０とが冷却部３０を挟んで対向する位置に配置されているため、単純な構成の冷却部（例えば、軸流式のファンを有するもの）を用いて主要な構成要素を冷却することが可能となる。
【００９１】
また、本実施形態に係るプロジェクター１０００によれば、光学エンジン部４０は、放熱部１００Ｒ，１００Ｇ，１００Ｂを有するため、光源部の冷却効率を向上させることが可能となる。
【００９２】
また、本実施形態に係るプロジェクター１０００によれば、光学エンジン部４０が上記放熱部１００Ｒ，１００Ｇ，１００Ｂを有するため、光源部から他の構成要素（例えば、光変調部）に伝導される熱を大きく低減することが可能となる。
【００９３】
また、本実施形態に係るプロジェクター１０００によれば、複数の放熱部１００Ｒ，１００Ｇ，１００Ｂがそれぞれ他の放熱部と熱伝導しないように配置されるため、放熱部から放熱部への熱の伝導を抑制し、例えば、発熱量が大きい又は耐熱温度が低い光源部には大きな放熱部を対応させ、発熱量が小さい又は耐熱温度が低い光源部には小さな放熱部を対応させるといったように、それぞれの光源部に適した冷却を行うことが可能となる。
【００９４】
また、本実施形態に係るプロジェクター１０００によれば、カバー１２０は、開口部１２１の少なくとも投写光学系９０からの光を遮らない領域に、防塵フィルターを有するため、プロジェクター内に埃等が進入するのを抑制し、プロジェクターを長く稼動させることが可能となる。
【００９５】
ここで、図６は、比較例に係るプロジェクター１００２の冷却部３０による空気の流れを説明するために示す図である。図６は、カバー１２０を有する本実施形態のプロジェクター１０００を示す図３に対応する断面図である。
【００９６】
比較例に係るプロジェクター１００２は、基本的には本実施形態に係るプロジェクター１０００と同様の構成を有するが、図６に示すように、カバー１２０を備えない点が本実施形態に係るプロジェクター１０００の場合とは異なる。
【００９７】
比較例に係るプロジェクター１００２は、カバー１２０を備えないため、冷却部３０は、一度冷却に用いられて暖まりランプカバーＬＣに滞留した空気を、再度冷却に使用することとなり、プロジェクター１００２の冷却効率が低下してしまう。
つまり、比較例に係るプロジェクター１００２において、冷却部３０は、冷却に用いられる空気と冷却に用いられて暖まった空気とを分離して使用することができず、プロジェクター１００２の冷却効率を向上させることができない。
【００９８】
［実施形態２］
図７は、本実施形態に係るプロジェクター１００４を説明するために示す図である。図７（ａ）は拡張部材１２４を接続する前のプロジェクター１００４の断面図であり、図７（ｂ）は拡張部材１２４を接続した後のプロジェクター１００４の断面図であり、図７（ｃ）は拡張部材１２４の断面図であり、図７（ｄ）は拡張部材１２４の斜視図である。図７（ａ）及び図７（ｂ）は、図１（ｃ）に相当する断面図である。
【００９９】
本実施形態に係るプロジェクター１００４は、基本的には上記実施形態に係るプロジェクター１０００と同様の構成を有するが、カバー１２２が、上記実施形態に係るプロジェクター１０００のカバー１２０と異なる。すなわち、プロジェクター１００４は、図７に示すように、プロジェクター１００４が投写画像を投写する方向に向かって、開口部１２１側の端部に、カバー１２２を投写方向に延出させる拡張部材１２４を固定する固定部１２３を有するカバー１２２を備える。
【０１００】
カバー１２２は、基本的に上記実施形態におけるカバー１２０と同様の構成を有するが、端部に、拡張部材１２４と係合して固定する固定部１２３を有する点が異なる。固定部１２３は、内周部に突起状の凸部を有する。固定部１２３の凸部は、当該固定部１２３に拡張部材１２４を係合させて固定することが可能である。また、固定部１２３は、例えば樹脂からなる。
【０１０１】
拡張部材１２４は、図７（ｃ）及び図７（ｄ）に示されるように、尖端部を切り落とした円錐の外面のような形状を有する。拡張部材１２４は、投写画像の投写を妨害しない程度の大きさを有する開口部１２６及び開口部１２７を有する。
【０１０２】
拡張部材１２４は、開口面積が狭くなっている方の開口部１２６側に、カバー１２２の固定部１２３と係合する係合部１２５を有する。係合部１２５は、カバー１２２の固定部１２３が有する凸部に対応する凹形状となっている。固定部１２３の凸部と凹形状の係合部１２５とを係合させて固定することにより、カバー１２２に拡張部材１２４を取り付けることができ、プロジェクター１００４は、カバー１２２の長さを延長可能な構成となっている。なお、本実施形態において、カバー１２２に拡張部材１２４を固定する構成としてはこれに限らず、各種の方式を用いることができ、例えば、カバー１２２と拡張部材１２４とにねじ山を設け、一方を他方に螺合して固定する方式を用いることができる。
【０１０３】
このように、本実施形態に係るプロジェクター１００４は、カバー１２２の構成が上記実施形態に係るプロジェクター１０００とは異なるが、冷却部３０及びカバー１２２という冷却機構を備えるため、上記実施形態に係るプロジェクター１０００と同様に、冷却に用いられる空気と、冷却に用いられて暖まった空気とを分離し、プロジェクターの冷却効率を向上させることが可能となる。
【０１０４】
また、本実施形態に係るプロジェクター１００４によれば、カバー１２２は、開口部１２１側の端部に、カバー１２２を投写方向に延出させる拡張部材１２４を固定する固定部１２３を有するため、使用環境や、例えばインテリアとして等ユーザーの嗜好に合わせてカバーの長さを任意に調節することが可能となる。
【０１０５】
なお、本実施形態に係るプロジェクター１００４は、カバー１２２の構成以外は上記実施形態に係るプロジェクター１０００と同様の構成を有するため、本実施形態に係るプロジェクター１０００が有する効果を同様に有する。
【０１０６】
［実施形態３］
図８は、本実施形態に係るプロジェクター１００６を説明するために示す図である。図８（ａ）はプロジェクター１００６の正面図であり、図８（ｂ）はプロジェクターカバー１３０を取り除いた状態のプロジェクター１００６の正面図であり、図８（ｃ）はプロジェクター１００６の断面図である。図８（ｃ）は、プロジェクター１０００を示す図１（ｃ）に相当する断面図である。
図９は、本実施形態に係るプロジェクター１００６の冷却部３０による空気の流れを説明するために示す図である。図９は、プロジェクター１０００の図３に対応する断面図であり、電球ソケットＳ及びランプカバーＬＣの図示を省略している。
【０１０７】
本実施形態に係るプロジェクター１００６は、基本的には上記実施形態に係るプロジェクター１０００と同様の構成を有するが、プロジェクターカバー１３０を備える点で異なる。すなわち、本実施形態に係るプロジェクター１００６は、図８及び図９に示すように、カバー１２０を覆うように配置されるプロジェクターカバー１３０を備える。
【０１０８】
プロジェクターカバー１３０は、自身がランプカバー等のように機能する部材である。カバー１２０とプロジェクターカバー１３０との関係からは、カバー１２０は、投写方向側の端部がプロジェクターカバー１３０の投写方向側の端部より、投写方向側に位置するように配置される。つまり、図８（ａ）に示すように、中心軸Ａｘと垂直であり、且つカバー１２０の投写方向側の端部と接する仮想線を第３仮想線Ｌ３とし、中心軸Ａｘと垂直であり、且つプロジェクターカバー１３０の投写方向側の端部と接する仮想線を第４仮想線Ｌ４とするとき、第３仮想線Ｌ３と中心軸Ａｘとの接点は、第４仮想線Ｌ４と中心軸Ａｘとの接点よりも投写画像を投写する側に位置する。
【０１０９】
本実施形態に係るプロジェクター１００６によれば、冷却部３０及びカバー１２０という冷却機構を備えるため、冷却に用いられる空気と、冷却に用いられて暖まった空気とを分離し、プロジェクターの冷却効率を向上させることが可能となる。
【０１１０】
また、本実施形態に係るプロジェクター１００６によれば、カバー１２０を備えるため、光学エンジン部とカバーとの間に冷却流路を形成し、プロジェクターの冷却効率を一層向上させることが可能となる。
【０１１１】
また、本実施形態に係るプロジェクター１００６によれば、カバー１２０は、投写方向側の端部がプロジェクターカバー１３０の投写方向側の端部より、投写方向側に位置するように配置されるため、プロジェクターカバーの中に滞留する暖まった空気を冷却部が拾ってしまうのを抑制し、プロジェクターの冷却効率をより一層向上させることが可能となる。
【０１１２】
また、本実施形態に係るプロジェクター１００６によれば、プロジェクターカバー１３０を備えるため、ランプカバー等が電球ソケットの周りに固定されていたとしてもその影響を低減し、プロジェクターの冷却を安定して行うことが可能となる。
【０１１３】
また、本実施形態に係るプロジェクター１００６によれば、接続部１０と光学エンジン部４０との間に配置され、電源部２０と光学エンジン部４０とを冷却する冷却部３０を備えるため、コンパクトな冷却経路を構成することができ、プロジェクターの小型化に貢献することが可能となる。
【０１１４】
また、本実施形態に係るプロジェクター１００６によれば、冷却部３０を備えるため、１つの冷却部で主要な構成要素を冷却することが可能となり、プロジェクターのコストを低減させることが可能となる。
【０１１５】
また、本実施形態に係るプロジェクター１００６によれば、従来のプロジェクターと同様に、冷却部３０を備えるため、冷却部によりプロジェクターの内部機構を冷却することが可能となる。
【０１１６】
また、本実施形態に係るプロジェクター１００６によれば、電球ソケットＳに接続可能な接続部１０を備えるため、電球ソケットが設置されている場所ならば、手軽に取り付けること及び使用することが可能となる。
【０１１７】
なお、本実施形態に係るプロジェクター１００６は、プロジェクターカバー１３０を備える点以外は実施形態１に係るプロジェクター１０００と同様の構成を有するため、実施形態１に係るプロジェクター１０００が有する効果を同様に有する。
【０１１８】
［変形例］
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【０１１９】
上記各実施形態において記載した各構成要素の寸法、個数、材質及び形状は例示であり、本発明の効果を損なわない範囲において変更することが可能である。
【０１２０】
上記各実施形態において、電源部２０は、接続部１０の内部に配置するようにしたが、本発明はこれに限定されるものではない。電源部２０は、接続部１０を介して電球ソケットからの電流（電力）を各光源部（発光部）や冷却部などの各部品に供給可能な構成であれば、一部が接続部１０内に配置される構成でもよく、また、接続部１０の外部に配置される構成でもよい。
【０１２１】
上記各実施形態においては、光変調部として液晶型の光変調装置を用いたが、本発明はこれに限定されるものではない。光変調部としては、一般に光源部からの光を画像情報に応じて変調するものであればよく、例えば、マイクロミラー型光変調装置等を用いてもよい。マイクロミラー型光変調装置としては、例えば、ＤＭＤ（デジタルマイクロミラーデバイス）を用いることができる。
【０１２２】
上記各実施形態においては、３つの光変調部を備えるプロジェクターを例示して説明したが、本発明はこれに限定されるものではない。１つ、２つ又は４つ以上の光変調部を用いたプロジェクターにも適用可能である。例えば、１つの液晶型の光変調部を有するプロジェクターの場合、１つの光変調部は、光合成部の後段に配置される構成が挙げられる。また、プロジェクターが光合成部の後段に光均一化光学系を備える場合には、１つの光変調部は、光均一化光学系と投写光学系との間に配置される構成が挙げられる。また、１つの光変調部は、光均一化光学系内に配置される構成としてもよい。
【０１２３】
上記実施形態においては、プロジェクターに拡張部材１２４を１つ接続させる構成としたが、本発明はこれに限定されるものではない。拡張部材を２つ以上接続してもよい。これは、例えば、拡張部材１２４側にも、固定部１２３に相当するような部位を設けることによって実現することができる。
【０１２４】
上記実施形態３においては、上記実施形態１に記載のプロジェクター１０００にプロジェクターカバー１３０を付け加えた構成としたが、本発明はこれに限定されるものではない。本発明のプロジェクターは、上記実施形態２に記載のプロジェクター１００４にプロジェクターカバー１３０を付け加えた構成としてもよい。
【０１２５】
上記各実施形態において、カバー１２０は、冷却部３０の投写方向側の端部から、投写方向に延出する構成としたが、本発明はこれに限定されるものではない。カバー１２０は、冷却部３０の投写方向側の端部からではなく、投写方向と反対側の端部から投写方向に延出する、すなわちカバー１２０は、冷却部３０を覆う構成としてもよい。また、接続部１０が電球ソケットＳに接続可能な範囲で、カバー１２０は、冷却部３０及び接続部１０の一部を覆い、投写方向に延出する構成としてもよい。
【０１２６】
上記実施形態３において、図９に示されるように、プロジェクターカバー１３０は、接続部１０の側方から連通口１６を覆って、投写方向に向かって断面積が広くなるように延出して配置されており、冷却部３０は、開口部１２１から空気を導入し、光学エンジン部４０、電源部２０等を冷却し、冷却して温まった空気を連通口１６から排出するように構成され、連通口１６からの空気は、プロジェクターカバー１３０とカバー１２０との間に設けられた空間を流通し、プロジェクターの外部に排出される構成であったが、本発明はこれに限定されるものではない。プロジェクターカバー１３０は、連通口１６の投写方向側の端部から、連通口１６を覆わずに投写方向に向かって延出して配置され、連通口１６からの暖まった空気は、プロジェクターカバー１３０とカバー１２０との間に設けられた空間を流通せず、直接プロジェクターの外部に排出される構成としてもよい。
【符号の説明】
【０１２７】
１０…接続部、１２…第１接点部、１４…第２接点部、１６…連通口、２０…電源部、３０，３２…冷却部、４０…光学エンジン部、５０Ｒ，５０Ｇ，５０Ｂ…光源部、６０Ｒ，６０Ｇ，６０Ｂ…光平行化光学系、７０Ｒ，７０Ｇ，７０Ｂ…光変調部、８０…クロスダイクロイックプリズム、９０…投写光学系、１００Ｒ，１００Ｇ，１００Ｂ…放熱部、１０２Ｒ，１０２Ｇ，１０２Ｂ…基部、１０４Ｒ，１０４Ｇ，１０４Ｂ…フィン、１１０…基板、１２０，１２２…カバー、１２３…固定部、１２４…拡張部材、１２５…係合部、１３０…プロジェクターカバー、１０００，１００２，１００４，１００６…プロジェクター、ＬＣ…ランプカバー、Ｓ…ソケット
【図１】
2014102313.tif 000003
【図２】
2014102313.tif 000004
【図３】
2014102313.tif 000005
【図４】
2014102313.tif 000006
【図５】
2014102313.tif 000007
【図６】
2014102313.tif 000008
【図７】
2014102313.tif 000009
【図８】
2014102313.tif 000010
【図９】
2014102313.tif 000011